(57)【要約】【目的】家庭に設置されたネットワーク機器に対してＩＰネットワークからアクセス要求があった場合にその旨を知らせ、仮に不正なアクセスが生じた場合には即座に簡単な方法によりアクセスを遮断することができる家庭用ネットワーク記憶装置を提供すること。【構成】家庭用ネットワーク記憶装置において、ＩＰネットワークからアクセス要求を受信したことを知らせる可視又は可聴表示手段と、現在のアクセス状況又は相手先から送られてきた認証情報をリアルタイムにテレビにて画像又は音声で表示するための手段とを有し、ＩＰネットワークからアクセス要求を検出したタイミングで可視又は可聴表示手段によってアクセス要求を受信したことを知らせる表示を行い、同時に現在のアクセス状況又は相手先から送られてきた認証情報をリアルタイムでテレビに出力する。【選択図】      図２
2004265310.tif 000002
【特許請求の範囲】
【請求項１】
ＩＰネットワークと接続する手段と、各種のＡＶ（オーディオ・ビジュアル）機器と接続する手段と、各種のＡＶ情報を内部に記憶する手段と、テレビに画像と音声を出力する手段とを具備し、ＩＰネットワークからアクセス要求があると、相手先から送られてくる認証情報と予め内部に記憶してある相手先情報とを照合し、該照合結果に従ってアクセス許可の有無を判定する家庭用ネットワーク記憶装置において、
ＩＰネットワークからアクセス要求を受信したことを知らせる可視又は可聴表示手段と、現在のアクセス状況又は相手先から送られてきた認証情報をリアルタイムにテレビにて画像又は音声で表示するための手段とを有し、ＩＰネットワークからアクセス要求を検出したタイミングで可視又は可聴表示手段によってアクセス要求を受信したことを知らせる表示を行い、同時に現在のアクセス状況又は相手先から送られてきた認証情報をリアルタイムでテレビに出力することを特徴とする家庭用ネットワーク記憶装置。
【請求項２】
所定の操作によって、ＩＰネットワークからのアクセス要求時又はアクセス許可後においても強制的に相手先との通信を遮断できる手段を有することを特徴とする請求項１記載の家庭用ネットワーク記憶装置。
【請求項３】
電子メールを送信する手段を有し、ＩＰネットワークからのアクセス要求が生じた際に、アクセス許可の有無又は相手先から送られてきた認証情報を含む内容の電子メールを予め記憶してある所定のアドレス宛に送信することを特徴とする請求項１記載の家庭用ネットワーク記憶装置。
【発明の詳細な説明】
【０００１】
【発明の属する技術分野】
本発明は、一般の家庭に設置され、インターネットのようなＩＰネットワークと接続する手段と、ビデオカメラやデジタルカメラに代表される各種のＡＶ（オーディオ・ビジュアル）機器と接続して各種のＡＶ情報を内部に記憶する手段とを装備し、テレビ画面を利用して電子メールの送受信やＷｅｂ等の閲覧又は内部に記憶した各種のＡＶ情報の検索、選択、閲覧、再生を行うことのできる家庭用ネットワーク記憶装置において、上記ＩＰネットワークから前記家庭用ネットワーク記憶装置に対してアクセス要求が生じた場合や不正アクセスが生じた場合の対処方法に関する。
【０００２】
【従来の技術】
一般家庭でメールの送受信やインターネットの閲覧は、公衆電話回線やその他の回線を使用してダイヤルアップ接続することによって行われている。そして、一定額を支払うことによって２４時間通信料フリーでインターネット接続を行う方法や、ブローバンド化による高速度で大容量のデータ転送によって、一般家庭とインターネットとの親和性が益々進み、メールの送受信やインターネットの閲覧だけでなく、いつでも誰でも画像や音楽等の様々なデータや情報をインターネット上で送受信するようになった。
【０００３】
同時に、一般家庭からＩＰネットワークであるインターネットに接続している機器は、技術的にはインターネット側からも前記機器に対してアクセス可能であり、外部からの不正なアクセスに対して家庭にある機器にも何らの対策手段が必要となってきている。
【０００４】
例えば、インターネットのＷｅｂページのような場合、インターネット上のＷｅｂページは不特定多数からアクセス要求があるようなコンテンツである。そのため、不正アクセスに対するセキュリティ手段の整っている家庭外の業者等のサーバーに保存し運用を行うようにする。その結果、前記コンテンツへの不正アクセスに対する対策手段を自身で用意する必要はない。
【０００５】
一方、外出先から自宅の機器へアクセスして前記機器に記憶してある情報を外出先から利用する場合や、個人の写真や映像情報といった自宅の機器に記憶してある個人情報を親戚や親しい知人等といった特定の人と共有するために自宅の機器へのアクセスを許可する場合がある。
【０００６】
このような場合の不正アクセスを防ぐ手段として、外部からのアクセス要求に対して認証要求を行い、予め登録されている認証情報と合致する情報を受信した場合にアクセスを許可することによって不正なアクセスを防ぐことができる。このような認証を用いて不正アクセスを防ぐ例として特開平８−３２９４５号公報に記載されたものがある。
【０００７】
【発明が解決しようとする課題】
しかしながら、特開平８−３２９４５号公報に記載のように認証を行って不正アクセスを防ぐ方法だけでは、その認証情報が何らかの手段によって第三者に漏れた場合や故意に認証情報が解読された場合に不正アクセスを検出する手段は持っていなかった。
【０００８】
そこで、Ｗｅｂページのコンテンツの保存、運用を行っているような業者が使用している高度なセキュリティシステムを導入することが考えられるが、実際に一般家庭に設置することはコストや設置場所等からも難しい。
【０００９】
又、複雑な認証情報を要求する方法や複雑なアクセス方法を行う仕組みを安価に装備することも考えられるが、一般家庭の利用を考えると老人やシステムに不慣れな人にとっては余計に面倒な操作となってしまう。
【００１０】
本発明は上記問題に鑑みてなされたもので、その目的とする処は、家庭に設置されたネットワーク機器に対してＩＰネットワークからアクセス要求があった場合にその旨を知らせ、仮に不正なアクセスが生じた場合には即座に簡単な方法によりアクセスを遮断することができる家庭用ネットワーク記憶装置を提供することにある。
【００１１】
【課題を解決するための手段】
上記目的を達成するため、請求項１記載の発明は、ＩＰネットワークと接続する手段と、各種のＡＶ（オーディオ・ビジュアル）機器と接続する手段と、各種のＡＶ情報を内部に記憶する手段と、テレビに画像と音声を出力する手段とを具備し、ＩＰネットワークからアクセス要求があると、相手先から送られてくる認証情報と予め内部に記憶してある相手先情報とを照合し、該照合結果に従ってアクセス許可の有無を判定する家庭用ネットワーク記憶装置において、ＩＰネットワークからアクセス要求を受信したことを知らせる可視又は可聴表示手段と、現在のアクセス状況又は相手先から送られてきた認証情報をリアルタイムにテレビにて画像又は音声で表示するための手段とを有し、ＩＰネットワークからアクセス要求を検出したタイミングで可視又は可聴表示手段によってアクセス要求を受信したことを知らせる表示を行い、同時に現在のアクセス状況又は相手先から送られてきた認証情報をリアルタイムでテレビに出力することを特徴とする。
【００１２】
請求項２記載の発明は、請求項１記載の発明において、所定の操作によって、ＩＰネットワークからのアクセス要求時又はアクセス許可後においても強制的に相手先との通信を遮断できる手段を有することを特徴とする。
【００１３】
請求項３記載の発明は、請求項１記載の発明において、電子メールを送信する手段を有し、ＩＰネットワークからのアクセス要求が生じた際に、アクセス許可の有無又は相手先から送られてきた認証情報を含む内容の電子メールを予め記憶してある所定のアドレス宛に送信することを特徴とする。
【００１４】
【発明の実施の形態】
以下に本発明の実施の形態を添付図面を参照しながら説明する。
【００１５】
図１は本発明の実施の形態に係る家庭用ネットワーク記憶装置の外観構成を示す図である。
【００１６】
図１において、１０１は家庭用ネットワーク記憶装置であり、例えばデジタルカメラのようなＡＶ（オーディオ・ビジュアル）機器と接続して動画や静止画といった各種ＡＶ情報を内部に記憶する機能を有する。そして、表示モニターとして１０３のテレビを使用し、テレビ画面に表示を行って内部に記憶している各種のＡＶ情報を検索、選択、閲覧、再生を行うものである。
【００１７】
又、１０４のＩＰネットワーク（インターネット）と接続するインターフェースを装備して、同様にテレビ画面を利用して電子メールの送受信やＷｅｂ等の閲覧も可能となっている。これら全ての操作は１０２のリモコン（リモートコントローラー）によって行われ、例えば赤外線を使用した無線によって家庭用ネットワーク記憶装置と接続して制御を行う構成になっている。
【００１８】
図２は本発明の実施の形態に係る家庭用ネットワーク記憶装置の機能ブロック図である。尚、図中の矢印は各信号の流れを表し、太線は各種の情報を、細線は制御信号をそれぞれ示している。
【００１９】
２０１は制御部であり、家庭用ネットワーク記憶装置の各ブロック（２０３〜２０８）の制御を行っている。内部には時計機能を内蔵しており、各ブロックに対して時間を通知したり、タイマーを構成して動作の制御に使用したりしている。
【００２０】
２０２はリモコン受信Ｉ／Ｆ部であり、リモコンからの制御信号を受信するインターフェース装置である。リモコンから受信した制御信号を制御部に送信する機能を有している。実施の形態においては、赤外線を使用してリモコンから制御信号が送信される仕組みになっており、リモコンから送信された赤外線を受信した後、制御信号を復調して制御部に伝達する。リモコンから送信されてくる赤外線信号は、リモコンに装備されている各キーに対応したものとなっており、利用者によって何れかのキーの押下が発生した場合、リモコンから送信される仕組みになっている。
【００２１】
２０３は可視表示部であり、家庭用ネットワーク記憶装置がＩＰネットワークからアクセス要求を検出した場合に点灯してその旨を知らせるためのものである。制御部（２０１）によって制御され、ＬＥＤ等によって構成される。ＩＰネットワークとの接続が終了するまで点灯して可視的に接続していることを示す役割を果たしている。
【００２２】
２０４は可聴表示部であり、家庭用ネットワークがＩＰネットワークからのアクセス要求を検出した場合に鳴動してその旨を知らせるためのものである。スピーカ等とその駆動回路で構成されている。予め設定によって鳴動するかどうかを決めることができ、ブザー音やメロディ音又はアナウンス等の音声によってＩＰネットワークからアクセス要求があることを示すようになっている。
【００２３】
２０５はＩＰネットワークＩ／Ｆ部であり、家庭用ネットワーク記憶装置がＩＰネットワーク（インターネット）と接続するためのインターフェース装置となっている。実施の形態では、ＡＤＳＬ回線を使用して２４時間フリーでＩＰネットワークと接続する形態を想定している。インターネット上のＷｅｂ閲覧や電子メールの送受信を行う際には、所定のサーバーに接続を行い、接続完了後はパケット化された情報の送受信を行う機能を有している。
【００２４】
又、ＩＰネットワークと送受信する情報は全て記憶部（２０６）との間でやり取りされ、制御部（２０１）の指示により行われるようになっている。ＩＰネットワークからのアクセス要求に対して認証要求を行い、予め記憶部（２０６）登録されている認証情報と合致する情報を受信した場合にアクセスを許可する機能を持つ。
【００２５】
２０６は記憶部であり、家庭用ネットワーク記憶装置で扱う全てのデータや情報を記憶又は一時記憶する装置となっている。本実施の形態においては、この記憶部内は幾つかのエリアに分けられる。例えば、接続相手先の認証情報や設定データ又は各種ＡＶ情報等を常に記憶し、利用者の操作によって新規に追加や削除を行うことのできる情報貯蔵エリアやＷｅｂ閲覧時等に画像情報を便宜上一時的に記憶する一時記憶エリアや、受信した電子メールの保存や送信用ファイルの一時記憶等に使用する電子メール用エリア等で構成されている。内部に記憶されている情報のうちテレビに出力する情報が制御部の制御で選択され、選択された情報はＴＶ画生成部（２０６）に送信される。
【００２６】
２０７はＴＶ画生成部であり、記憶部から送られてきた各種の情報を組み合わせて、テレビ画面に表示可能なビデオ情報に変換してＴＶ出力Ｉ／Ｆ部（２０８）に送信する装置となっている。実施の形態では、テレビの画面構成を変更する際は、制御部が利用者のリモコン操作を検出してその操作内容を記憶部やＴＶ画生成部に反映させる機能を持つことによって、利用者のリモコン操作でテレビの画面構成を随時更新することを可能としている。
【００２７】
又、利用するアプリケーションそのものを変更する際は、制御部が利用者のリモコン操作を検出してその操作内容を全ての機能ブロックに反映させる機能を持つことによって、利用者のリモコン操作で利用するアプリケーションを随時更新することを可能としている。
【００２８】
２０８はＴＶ出力Ｉ／Ｆ部であり、ＴＶ画生成部から送られてきたビデオ情報を実際にテレビに対して出力するインターフェース装置である。実施の形態では、家庭用ネットワーク記憶装置とテレビとの間は音声と映像がそれぞれ独立したピンプラグ付きのケーブルで接続できるように、ＴＶ出力Ｉ／Ｆ部には音声用と映像用の各ピンジャックに対応した端子が装備されている。
【００２９】
図３は本発明の実施の形態に係る家庭用ネットワーク記憶装置の動作のフローチャートを示した図となっている。このフローチャートは、ＩＰネットワークからアクセス要求があったとき、テレビ画面にその旨を通知する方法について家庭用ネットワーク記憶装置がどのように動作するかを示したものである。
【００３０】
＜３０１＞
このフローチャートのスタートを示している。このときのテレビの状態は、電源ＯＦＦ、通常のテレビ放送を上映中、何れの場合でも良い。又、家庭用ネットワーク記憶装置の状態は、電源が投入されている状態（スタンバイ）となっている。
【００３１】
＜３０２＞
ＩＰＰットワークからのアクセス要求を待機している状態である。この状態は、ＩＰネットワークＩ／Ｆ部（２０５）でＩＰネットワークからのアクセス要求の信号を受信するまで家庭用ネットワーク記憶装置がスタンバイ状態を継続していることを示している。
【００３２】
＜３０３＞
３０２において、ＩＰネットワークＩ／Ｆ部（２０５）がＩＰネットワークからのアクセス要求の信号を受信し、制御部（２０１）に対して通知を行う。これを受けて制御部（２０１）は可視表示部（２０３）のＬＥＤを点灯して可視的な表示を行う。又は、設定に応じて可聴表示部（２０３）のスピーカを鳴動させる。これにより、利用者は家庭用ネットワーク記憶装置に対してＩＰネットワークからアクセス要求が生じていることを認識する。
【００３３】
＜３０４＞
次に、アクセスを許可するための認証情報を取得する。例えばＩＤとパスワードといった相手先情報を受信して、予め記憶してある情報と照合するために一時的に受信した相手先情報を記憶部（２０６）に記憶する。
【００３４】
＜３０５＞
３０４で取得したＩＤやパスワードといった相手先情報が、記憶部（２０６）から取り出されてＴＶ画生成部（２０７）を経てＴＶ出力Ｉ／Ｆ部（２０８）からテレビに出力される。このとき、３０４で取得した相手先情報だけでなく、アクセス状況等についても記憶部（２０６）に記憶されてある情報を常にテレビに出力する仕組みとなっている。つまり、アクセス要求が生じてからアクセス却下されるまで、或はアクセス中に強制遮断されるまで、或はアクセスの正常終了までの期間、記憶部（２０６）に記憶されてあるアクセス要求やアクセス状況等の情報は、リアルタイムでテレビに出力されることを意味している。
【００３５】
利用者は、先に３０３において家庭用ネットワーク記憶装置にＩＰネットワークからアクセス要求があることを可視、或は可聴により通知されている。そこで、テレビが電源ＯＦＦの場合は、電源を投入し入力を家庭用ネットワーク記憶装置に切り替えることによって、利用者はアクセス要求を送信した相手先情報をテレビ画面で確認することができる。
【００３６】
又、通常のテレビ放送を見ている場合は、入力を家庭用ネットワーク記憶装置に切り替えることによって、利用者はアクセス要求を送信した相手先情報をテレビ画面で確認することができる。
【００３７】
＜３０６＞
３０４で取得した相手先情報と予め記憶部（２０６）に記憶してある情報とを照合して、アクセス要求に対する許可を判定する（自動判定）。判定は、受信したＩＤとパスワードが予めアクセス許可が登録されているＩＤとパスワードであるかどうかを照合して行う。アクセス許可が登録されているＩＤとパスワードであれば、アクセスの許可を行う。逆に、アクセス許可が登録されていないＩＤとパスワードであるとアクセスの却下の判定を行い、３０９のフローに移行する。
【００３８】
＜３０７＞
相手先情報をテレビ画面に表示し、アクセスを継続させるかどうかを利用者の所定の操作によって判定する（手動判定）。実施の形態では、利用者が例えば自分のＩＤとパスワードを使用してアクセスを行っていることをテレビ画面の表示で知った場合、第三者による不正なアクセスであると判定してリモコンにある強制切断を行う特定キーを押下する。リモコン受信Ｉ／Ｆ部（２０２）で前記特定キーの押下による信号を受信すると制御部（２０１）の制御によってアクセス中であっても強制的に接続の遮断を行い、３０９のフローに移行する。
【００３９】
又、アクセスが正常に終了するまではいつでもリモコンの特定のキーを押下することで、強制的に接続を遮断することができる仕組みとなっている。
【００４０】
＜３０８＞
ＩＰネットワークからどのようなアクセスが行われているかを記憶部（２０６）に一時記憶し、又、アクセス終了の監視を行う。例えば家庭用ネットワーク記憶装置から画像情報等がダウンロードされているのか、又は外部からＩＰネットワーク経由でファイル等がアップロードされているのか等、リアルタイムで記憶部（２０６）に記憶する動作を行う。そして、アクセス要求のあった相手先からアクセスの終了を示す動作を検出すると３０９のフローに移行する。
【００４１】
上記した３０５〜３０８のフローは一連の動作となっており、３０９のフローへの移行が行われない限り、前記一連の動作を繰り返す。これによりリアルタイムにアクセス状況をテレビ画面で確認でき、いつでも強制遮断できる状態となっている。
【００４２】
＜３０９＞
３０６，３０７，３０８何れかのフロー内でアクセス終了と判定され切断処理が完了すると、今までテレビへ出力していたアクセス状況等の送信を停止させる。同時に記憶部（２０６）に一時記憶していたアクセスに関する情報を消去し、次のアクセス要求に対しての準備を行う。このとき、設定によって一時記憶していた情報を詳細ログとして保存しておくことも可能となっている。
【００４３】
＜３１０＞
３０９でテレビ画面の表示を停止するのに続いて、アクセス要求が生じてから継続的に表示していた可視及び可聴表示の停止を行い家庭用ネットワーク記憶装置はスタンバイの状態に移行する。
【００４４】
図４は本発明の実施の形態２に係る家庭用ネットワーク記憶装置の動作のフローチャートを示した図となっている。このフローチャートは、ＩＰネットワークからアクセス要求があったとき、電子メールにてその旨を通知する方法について家庭用ネットワーク記憶装置がどのように動作するかを示したものである。
【００４５】
＜４０１＞
このフローチャートのスタートを示している。このときの家庭用ネットワーク記憶装置の状態は、電源が投入されている状態（スタンバイ）となっている。
【００４６】
＜４０２＞
ＩＰネットワークからのアクセス要求を待機している状態である。この状態は、ＩＰネットワークＩ／Ｆ部（２０５）でＩＰネットワークからのアクセス要求の信号を受信するまで家庭用ネットワーク記憶装置がスタンバイ状態を継続していることを示している。
【００４７】
＜４０３＞
４０２において、ＩＰネットワークＩ／Ｆ部（２０５）がＩＰネットワークからのアクセス要求の信号を受信し、制御部（２０１）に対して通知を行う。これを受けて制御部（２０１）は、アクセスを許可するための認証情報を取得する。例えば、ＩＤとパスワードといった相手先情報を受信して、予め記憶してある情報と照合するために一時的に受信した相手先情報を記憶部（２０６）に記憶する。
【００４８】
＜４０４＞
４０３で取得した相手先情報と予め記憶部（２０６）に記憶してある情報とを照合して、アクセス要求に対する許可を判定する（自動判定）。判定は、受信したＩＤとパスワードが予めアクセス許可が登録されているＩＤとパスワードであるかどうかを照合して行う。アクセス許可が登録されているＩＤとパスワードであれば、アクセスの許可を行う。逆に、アクセス許可が登録されていないＩＤとパスワードであるとアクセスの却下の判定を行い、４０２のフローに戻って待機状態に移行する。
【００４９】
＜４０５＞
４０３で取得したＩＤやパスワードといった相手先情報を記憶部（２０６）から取り出し、電子メールの本文に引用し、予め登録してあったアドレスに対してＩＰネットワークＩ／Ｆ部（２０５）から送信される。このとき、４０４で行ったアクセス許可の有無についても電子メールの本文に引用して送信する仕組みとなっている。
【００５０】
＜４０６＞
４０５で送信された電子メールを取得し、内容を確認して、例えば自分はアクセスをしていないのに自分のＩＤとパスワードを使用してアクセスを行っていると電子メールを読んで知った場合、第三者による不正なアクセスであると判定して即座に返信メールを家庭用ネットワーク記憶装置に対して送信する。家庭用ネットワーク記憶装置は、返信メールを受信することによって強制切断の指示と見なし、現在のアクセスを強制的に切断して４０２のフローに戻って待機状態に移行する。逆に、返信メールを受信するまでは認証に従って行われている正常なアクセスと判定してアクセスの続行を行う。
【００５１】
＜４０７＞
ＩＰネットワークからどのようなアクセスが行われているかを記憶部（２０６）に一時記憶し、又、アクセス終了の監視を行う。例えば、禁止しているファイルを家庭用ネットワーク記憶装置からダウンロード使用としているのか、又は外部からＩＰネットワーク経由で禁止しているファイル等をアップロード使用としているのか等である。仮に禁止している動作を検出した場合は、所定の手順に従ってアクセスを遮断する。
【００５２】
又、アクセス要求のあった相手先からアクセスの終了を示す動作を検出しても所定の手順に従ってアクセスの遮断を行い４０２のフローに戻って待機状態に移行する。
【００５３】
図５は本発明の実施の形態３に係る家庭用ネットワーク記憶装置の機能ブロック図である。図２に音声入力部（５０１）とキー入力部（５０２）を追加した構成となっている。
【００５４】
５０１は音声入力を検出する機能を持ち、マイクと音声認識装置で構成されている。予め登録された音声がマイクに入力されると制御部（２０１）に対して通知を行う。通知を受けた制御部（２０１）は、通知の内容に従って家庭用ネットワーク記憶装置の各制御を行う。
【００５５】
例えば、図３に示した３０７のフローにおいて、第三者による不正なアクセスと利用者が判断した場合に、予め登録されている音声を前記マイクに向かって発声する。音声入力部（５０１）で受信した前記音声が予め登録されたアクセスを強制的に遮断するための音声であると認識すると、制御部（２０１）の制御によってアクセス中であっても強制的に接続の遮断を行い、３０９のフローに移行する。
【００５６】
５０２はキー入力を検出する機能を持ち、少なくとも１つ以上のキーによって構成されている。各キーには、予め機能が割り振られていて、キーが押されると制御部（２０１）に対して通知を行う。通知を受けた制御部（２０１）は、通知の内容に従って家庭用ネットワーク記憶装置の各制御を行う。
【００５７】
例えば、図３に示した３０７のフローにおいて、第三者による不正なアクセスと利用者が判断した場合に、予め登録されているキー入力を行う。キー入力部（５０２）で検出したキーが予め登録されたアクセスを強制的に遮断するためのキー入力であると、制御部（２０１）の制御によってアクセス中であっても強制的に接続の遮断を行い、３０９のフローに移行する。
【００５８】
【発明の効果】
以上説明したように、本発明は、ＩＰネットワークからアクセス要求を検出したタイミングで可視又は可聴表示手段によってアクセス要求を受信したことを知らせる表示を行い、同時に現在のアクセス状況又は相手先から送られてきた認証情報をリアルタイムでテレビに出力するものである。これにより、利用者はアクセス要求が生じたタイミングでアクセス要求を知ることができ、次にテレビの入力を切り替えることで誰からアクセス要求があったのか、アクセスの状況等を即座に知ることができる。
【００５９】
又、本発明は、所定の操作によって、ＩＰネットワークからのアクセス要求時、又はアクセス許可後においても強制的に相手先との通信を遮断できるものである。これにより、利用者は仮に不正なアクセスであると認識した場合に、リモコンの特定のキーを押すことによって、或は家庭用ネットワーク記憶装置の特定のキーを押すことによって、或は家庭用ネットワーク記憶装置のマイクに対して特定の音声を発声することによって即座にアクセスを中断させることができる。
【００６０】
又、ＩＰネットワークからのアクセス要求が生じた際に、アクセス許可の有無又は相手先から送られてきた認証情報を含む内容の電子メールを予め記憶してある所定のアドレス宛に送信するものである。これにより、仮に利用者が外出中に不正アクセスがあったとしても、その旨を電子メールで知ることができ、更に返信メールを送ることによって即座にアクセスを中断させることができる。
【図面の簡単な説明】
【図１】本発明の実施の形態に係る家庭用ネットワーク記憶装置の外観構成を示す図である。
【図２】本発明の実施の形態に係る家庭用ネットワーク記憶装置の機能ブロック図を示す図である。
【図３】本発明の実施の形態に係る家庭用ネットワーク記憶装置のフローチャートである。
【図４】本発明の実施の形態２に係る家庭用ネットワーク記憶装置のフローチャートである。
【図５】本発明の実施の形態３に係る家庭用ネットワーク記憶装置の機能ブロック図を示す図である。
【符号の説明】
１０１    家庭用ネットワーク記憶装置
１０２    リモコン
１０３    テレビ
１０４    ＩＰネットワーク（インターネット）
２０１    制御部
２０２    リモコン受信Ｉ／Ｆ部
２０３    可視表示部
２０４    可聴表示部
２０５    ＩＰネットワークＩ／Ｆ部
２０６    記憶部
２０７    ＴＶ画生成部
２０８    ＴＶ出力Ｉ／Ｆ部
５０１    音声入力部
５０２    キー入力部
【図１】
2004265310.tif 000003
【図２】
2004265310.tif 000004
【図３】
2004265310.tif 000005
【図４】
2004265310.tif 000006
【図５】
2004265310.tif 000007